(57)【要約】【課題】  ユーザオリジナルの特色を複数一度に登録するのに有用であり、また測色計を使って新規登録するよりも簡単に登録ができる。【解決手段】  ＰＰＤオプションの中に「スポットカラー自動登録」を設け、これが、ＯｎのときにＤＴＰアプリケーションから特色を含むジョブをコンポジット印刷すると、そのジョブ中に含まれる名称とＣＭＹＫ成分がピックアップされて、特色が自動的に登録される。ただし、既成特色と同名は書き換えない。また、まずＤＴＰアプリケーションから特色を含むジョブをコンポジット印刷しておき、ジョブ管理ツールでジョブを指定し、「スポットカラー自動登録」を実行すると、そのジョブ中に含まれる名称とＣＭＹＫ成分がピックアップされて特色が登録される。【選択図】        図１
2006155499.tif 000002
【特許請求の範囲】
【請求項１】
ホストコンピュータ上で特色の登録を行うかどうかを設定する特色登録設定手段と、
前記ホストコンピュータ上で画像データを生成する画像データ生成手段と、
前記画像データ生成手段で生成された画像データから特色データを検索する特色データ検出手段と、
前記画像データから画像を形成する画像形成手段と、
前記特色データ検出手段によって検出された特色データを前記画像形成手段に登録する特色登録手段とを有することを特徴とする画像形成システム。
【請求項２】
前記特色データは特色名称と少なくともＣＭＹＫの成分とが含まれていることを特徴とする請求項１に記載の画像形成システム。
【請求項３】
前記特色登録手段は特色の名称を検索する特色名称検索手段と、前記画像形成装置にあらかじめ登録されている特色名称と前記特色名称検索手段で検索された特色名称を比較し、名称が同じであるかを判定する特色名称判定手段とを有し、
前記特色名称判定手段の結果に基づいて特色の登録を行うことを特徴とする請求項１に記載の画像形成システム。
【請求項４】
画像データから画像を形成する画像形成手段と、
前記画像形成手段の内部に保持されている画像データを選択する画像データ選択手段と、
前記画像データ選択手段で選択された画像データから特色データを検索する特色データ検出手段と、
前記特色データ検出手段によって検出された特色を前記画像形成手段に登録する特色登録手段とを有することを特徴とする画像形成システム。
【請求項５】
前記特色登録手段は特色の名称を検索する特色名称検索手段と、前記画像形成装置にあらかじめ登録されている特色名称と前記特色名称検索手段で検索された特色名称を比較し、前記名称が同じであるかを判定する特色名称判定手段とを有し、
前記特色名称判定手段の結果に基づいて特色の登録を行うことを特徴とする請求項４に記載の画像形成システム。
【請求項６】
前記特色データは特色名称と少なくともＣＭＹＫの成分とが含まれていることを特徴とする請求項４に記載の画像形成システム。
【発明の詳細な説明】
【技術分野】
【０００１】
本発明は、ホストコンピュータを含む画像形成システムに関するものである。
【背景技術】
【０００２】
従来、画像を読み取り画像信号に変換する画像読み取り手段、前記画像信号を保持するメモリ手段、前記保持された画像信号を出力する画像出力部よりなる、カラー複写機として動作する画像形成装置が考案されている。
【０００３】
また、前記画像形成装置とホストコンピュータとをコントローラを介して接続し、前記ホストコンピュータで作成されたカラー画像を、前記コントローラによってラスター化し、前記コントローラ内部のメモリに保持した後に、前記画像形成装置にて出力するカラープリンターとして動作し、操作者の指示に基づき、カラー複写機としてもカラープリンターとしても動作する画像形成システムが考案されている。さらに、前記コントローラでは大容量のメモリをもち、画像データを圧縮することで大量ページのラスターデータをメモリ上に格納できるようになっている。また、画像をビットマップに展開中に既に展開し終ったページの印刷を開始することが可能になっている。
【０００４】
印刷の世界では、ＣＭＹＫのインキのかけ合わせで作るカラー印刷で、ＣＭＹＫで作れない金・銀や、肌色やパステルカラー、あるいは会社のＣＩカラーとして指定されている色など、特定の色を美しく確実に出したい場合や、色刷りで、色インキを使う場合（特色のインキの代表的なものに大日本インキ化学工業のＤＩＣ（ディック）、パントーン社のＰＡＮＴＯＮＥ（パントーン）、東洋インキ製造のＴＯＹＯ（トーヨー）などがあり、それぞれ色見本帳がある）にインキ会社が独自の配合作った特色（Ｓｐｏｔ  Ｃｏｌｏｒ）が用いられている。
【０００５】
この特色をＣＭＹＫの４色のトナーを使って画像形成する前期画像形成装置で表現するために、プリンタの色再現範囲内でできるだけ正確に特色をＣＭＹＫデータに変換するための内蔵された色分解表を用いる方法や、アプリケーションでの特色の定義に従って特色を出力する方法が用いられている。
【０００６】
また、前記の色分解表を濃度計を用いて調整することで、特色をカスタマイズしたり、ユーザの所望する特色を色分解表に登録することも可能になっている。
【特許文献１】特開平０７−１０７３１３号公報
【発明の開示】
【発明が解決しようとする課題】
【０００７】
しかしながら、従来のカラーレーザプリンタで特色を使って印刷する場合、以下のような問題があった。
【０００８】
まず、ユーザが自分で作成した特色を登録するには、特色登録ツールの中で特色ひとつひとつの名称とＣＭＹＫ成分を入力し、プリンタに登録するか、特色の名称と実際に測色計で計測した色成分をプリンタに登録する方法で行われている。この特色の登録には時間がかかり、また、すでに決まった特色をコントローラに登録するときや複数のプリンタに特色を一色ずつ登録しなければならないという問題があった。
【０００９】
本発明は、以上の点に着目して成されたもので、ユーザの作成した特色がコントローラに簡単に登録でき、利用することができる画像形成システムを提供することを目的とする。
【課題を解決するための手段】
【００１０】
以上の点に鑑み、本発明によれば以下の手段を講ずることにより上記課題を解消し、自動両面できない用紙であっても両面の表紙つきブックレット作成を実現するものである。
【００１１】
（１）ホストコンピュータ上で特色の登録を行うかどうかを設定する特色登録設定手段と、前記ホストコンピュータ上で画像データを生成する画像データ生成手段と、前記画像データ生成手段で生成された画像データから特色データを検索する特色データ検出手段と、前記画像データから画像を形成する画像形成手段と、前記特色データ検出手段によって検出された特色データを前記画像形成手段に登録する特色登録手段とを有することを特徴とする画像形成システム。
【００１２】
（２）画像データから画像を形成する画像形成手段と、前記画像形成手段の内部に保持されている画像データを選択する画像データ選択手段と、前記画像データ選択手段で選択された画像データから特色データを検索する特色データ検出手段と、前記特色データ検出手段によって検出された特色を前記画像形成手段に登録する特色登録手段とを有することを特徴とする画像形成システム。
【発明の効果】
【００１３】
特色自動登録の設定をしてアプリケーション上で特色を作成したジョブをプリンタドライバから印刷したり、コントローラ内のジョブを再印刷することで、ユーザの作成した特色がコントローラに簡単に登録でき、利用することができるという効果を有する。
【発明を実施するための最良の形態】
【００１４】
以下本発明を実施するための最良の形態を、実施例により詳しく説明する。
【実施例１】
【００１５】
以下、好ましい実施例として、フルカラー複写機のシステムについての詳細な説明をする。なお、本発明はこの実施例に限るものではない。
【００１６】
［装置概要説明］
図３に、本発明の第１の実施形における装置概観図を示す。
【００１７】
１０１はホストコンピュータ、１０２はコントローラである。一方、１０３は画像形成装置であるカラー複写機であり、原稿台上に置かれた原稿をカラーで複写するとともに、コントローラ１０２を経てコンピュータ１０１より送られて来るカラー画像を出力する。ここでホストコンピュータ１０１上では、いわゆるＤＴＰ（Ｄｅｓｋ  Ｔｏｐ  Ｐｕｂｌｉｓｈｉｎｇ）のアプリケーションソフトウェアを動作させ、各種文書／図形が作成／編集される。ホストコンピュータ１０１は作成された文書／図形をＰＤＬ（Ｐａｇｅ  Ｄｅｓｃｒｉｐｔｉｏｎ  Ｌａｎｇｕａｇｅ＝ページ記述言語、例えばＡｄｏｂｅ社のＰｏｓｔ  Ｓｃｒｉｐｔ）に変換し、ケーブル２４３を通じて、これをコントローラ１０２に送る。
【００１８】
コントローラ１０２は、ホストコンピュータ１０１より送られたＰＤＬを翻訳し、ラスター化を行う。ラスター化された画像信号は、接続ケーブル２４２を通じて、画像形成装置１０３にて送られ出力される。
【００１９】
フィニッシャ３０１はサドルステッチャとトリマから構成されている。画像形成装置１０３とフィニッシャ３０１の間には不図示の通信線による通信が行なわれている。
【００２０】
［画像形成装置概観］
図２に、前記画像形成装置１０３の概観図を示す。
【００２１】
先ず、複写機としての原稿の複写において、２０１は、原稿台ガラスであり、読み取られるべき原稿２０２が置かれる。原稿２０２は、照明２０３により照射され、ミラー２０４，２０５，２０６を経て、光学系２０７により、ＣＣＤ２０８上に像が結ばれる。更に、モータ２０９により、ミラー２０４、照明２０３を含む第１ミラーユニット２１０は、速度Ｖで機械的に駆動され、ミラー２０５，２０６を含む第２ミラーユニット２１１は、速度１／２Ｖで駆動され、原稿２０２の全面が、走査される。
【００２２】
２１２は、画像処理回路部であり、読み取られた画像情報を電気信号として処理し、画像メモリ１０８上に一旦保持し、プリント信号として出力する部分である。
【００２３】
画像処理回路部２１２より出力されたプリント信号は、不図示のレーザードライバーに送られ、不図示の４つの半導体レーザーを駆動する。
【００２４】
２１３は、ポリゴンミラーであり、不図示の４つの半導体レーザーより発光された４本のレーザー光を受ける。
【００２５】
その内の１本はミラー２１４，２１５，２１６をへて感光ドラム２１７を走査し、
次の１本はミラー２１８，２１９，２２０をへて感光ドラム２２１を走査し、
次の１本はミラー２２２，２２３，２２４をへて感光ドラム２２５を走査し、
次の１本はミラー２２６，２２７，２２８をへて感光ドラム２２９を走査する。
【００２６】
一方、２３０はイエロー（Ｙ）のトナーを供給する現像器であり、レーザー光に従い、感光ドラム２１７上にイエローのトナー像を形成し、
２３１はマゼンタ（Ｍ）のトナーを供給する現像器であり、レーザー光に従い、感光ドラム２２１上にマゼンタのトナー像を形成し、
２３２はシアン（Ｃ）のトナーを供給する現像器であり、レーザー光に従い、感光ドラム２２５上にシアンのトナー像を形成し、
２３３はブラック（Ｂｋ）のトナーを供給する現像器であり、レーザー光に従い、感光ドラム２２９上にマゼンタのトナー像を形成する。
【００２７】
以上４色（Ｙ，Ｍ，Ｃ，Ｂｋ）のトナー像が用紙に転写され、フルカラーの出力画像を得ることができる。
【００２８】
用紙カセット２３４，２３５および、手差しトレイ２３６のいずれかより給紙された用紙は、レジストローラー２３７を経て、転写ベルト２３８上に吸着され、搬送される。給紙のタイミングと同期がとられて、予め感光ドラム２１７，２２１，２２５，２２９には各色のトナーが現像されており、用紙の搬送とともに、トナーが用紙に転写される。
【００２９】
各色のトナーが転写された用紙は、分離され、搬送ベルト２３９により搬送され、定着器２４０によって、トナーが用紙に定着され、排紙トレイ２４１に排紙される。
【００３０】
両面動作の場合には、用紙カセット２３４，２３５および、手差しトレイ２３６のいずれかより給紙された用紙は、レジストローラー２３７を経て、転写ベルト２３８上に吸着され、搬送される。給紙のタイミングと同期がとられて、予め感光ドラム２１７，２２１，２２５，２２９には各色のトナーが現像されており、用紙の搬送とともに、第１面の画像形成が行なわれ、トナーが用紙に転写される。
【００３１】
各色のトナーが転写された用紙は、分離され、搬送ベルト２３９により搬送され、定着器２４０によって、トナーが用紙に定着され、排紙偏向板により排紙縦パス２４６を通過して、両面反転部２４５へ搬送される。そして用紙通過して規定時間後、両面反転部入口ローラが逆回転し、用紙は反転して両面パス前搬送部２４７へ搬送され、両面パス２４４へ搬送される。このとき両面パス２４４上の用紙は上側が第１面の画像となっている。用紙が両面パスに搬送されると紙揃えをした後直ちに再給紙を行い、第２面目の画像形成が行なわれ、定着器２４０通過後排紙トレイ２４１に排紙される。複数の用紙で連続的に両面動作を行うときには両面パスからの再給紙と、用紙トレイからの給紙が交互に行われることになる。
【００３２】
コントローラ１０２を経て、ホストコンピュータ１０１より送られてくる画像出力の際には、インターフェースケーブル２４２を経て、不図示のＰＷＭ回路に直接画像が転送され、複写機動作の場合と同様に画像が形成される。
【００３３】
なお、４つの感光ドラム２１７，２２１，２２５，２２９は、距離ｄをおいて、等間隔に配置されており、搬送ベルト２３９により、用紙は一定速度ｖで搬送されており、このタイミング同期がなされて、４つの半導体レーザーは駆動される。
【００３４】
［画像信号の流れ］
図１に画像信号の流れを示す。
【００３５】
２０８はＣＣＤセンサであり、読み込まれた画像が、レッド（Ｒ）、グリーン（Ｇ）、ブルー（Ｂ）の３つの色成分毎に、それぞれディジタル信号として出力される。
【００３６】
１１２は、マスキング回路であり、次式による演算により、入力された（Ｒ０，Ｇ０，Ｂ０）信号を標準的な（Ｒ，Ｇ，Ｂ）信号に変換する。
【００３７】
2006155499.tif 000003
但し、ｃｉｊ（ｉ＝１，２，３  ｊ＝１，２，３）は、ＣＣＤセンサの感度特性／照明ランプのスペクトル特性等の諸特性を考慮した装置固有の定数である。
【００３８】
１０４は輝度／濃度変換部であり、ＲＡＭもしくはＲＯＭのルックアップテーブルにより構成され、次式の様に演算がおこなわれる。
【００３９】
2006155499.tif 000004
【００４０】
１０６は出力マスキング／ＵＣＲ回路部であり、Ｍ１，Ｃ１，Ｙ１信号を画像形成装置のトナー色であるＹ，Ｍ，Ｃ，Ｂｋ信号に変換する部分であり、次式の演算が成される。
【００４１】
2006155499.tif 000005
但し、ａｉｊ（ｉ＝１，２，３，４  ｊ＝１，２，３，４）は、トナーの色味諸特性を考慮した装置固有の定数であり、さらに、
Ｂｋ１＝ｍｉｎ（Ｃ１，Ｍ１，Ｙ１）・・・（４）
以上、上記（２），（３），（４）式に基づき、ＣＣＤセンサで読み込まれたＲ，Ｇ，Ｂ信号に基づいたＣ１，Ｍ１，Ｙ１，Ｂｋ１信号をトナーの分光分布特性に基づいたＣ，Ｍ，Ｙ，Ｂｋ信号に補正して出力する。
【００４２】
一方、１０５は文字／線画検出回路であり、原稿画像中の各画素が、文字または線画の一部分であるか否かを判定し、判定信号ＴＥＸＴを発生する文字／線画検出回路である。１０７は圧縮／伸張回路であり、画像信号（Ｒ，Ｇ，Ｂ）および文字／線画判定信号ＴＥＸＴを圧縮し、情報量を落とした後にメモリ１０８に格納すると共に、メモリ１０８より読み出されたデータにより、画像信号（Ｒ，Ｇ，Ｂ）および文字／線画判定信号ＴＥＸＴを伸張するものである。なお、画像圧縮／伸張回路については特に記載はしない。
【００４３】
更に、コントローラ１０２は、ＣＰＵ１１０によって制御され、前記トナーの分光感度特性に合ったＹ，Ｍ，Ｃ，Ｂｋ信号が格納されると共に、複写機側の画像形成タイミングに同期して、読み出される。メモリ１０９に保持される画像信号は、ケーブル２４２を通じて、ＣＣＤ２０８によって読み込まれた画像信号が保持されると共に、ケーブル２４３を通じてホストコンピュータ１０１により送られたコンピュータ画像が保持される場合もある。
【００４４】
［複写機単体での動作］
本実施形における装置システムにおいては、複写機単体としての動作と、コントローラをふくめたシステム動作の両方が存在する。先ず、複写機単体の動作を説明する。複写機動作の場合には、ＣＣＤ２０８で読み込まれた画像信号は、マスキング回路１１２、輝度／濃度変換部１０４を経て、圧縮／伸張回路にて圧縮後にメモリ１０８に書き込まれる。また、文字／線画判定回路１０５によって判定された文字／線画判定信号ＴＥＸＴも圧縮／伸張回路にて圧縮後にメモリ１０８に書き込まれる。
【００４５】
更に、メモリ１０８より読み出されたデータは、圧縮／伸張回路１０７によって伸張され、複写機の画像形成タイミングに従って送られ、不図示のＰＷＭ回路を通じてレーザードライバーに送られる。そのタイミングチャートを図４に示す。
【００４６】
図４において、ＣＣＤ２０８によって読み取られた画像は、４０１に示されるタイミングにて、メモリ１０８に書き込まれる。更に、メモリ１０８上に書き込まれた画像データは、４０２，４０３，４０４および４０５に示されるタイミングで読み出される。４０２，４０３，４０４および４０５に示されるタイミングの関係は、図示の通りに、時間ｄ／ｖ間隔をあけて、読み出される。ここで、すでに説明したが、ｄは等間隔に配置された４つのドラム間隔であり、ｖは搬送ベルトにより搬送される用紙の速度である。
【００４７】
［コントローラを含めたシステム動作］
次に、コントローラを含めたシステム動作について説明する。コントローラを含めたシステム動作には、大きく分けて、スキャン動作、ＰＤＬ展開動作、プリントアウト動作がある。
【００４８】
先ず、スキャン動作について説明する、ＣＣＤ２０８によって読み込まれた画像を、コントローラに取り込む動作であり、ＲＧＢデータもしくはＹＭＣＫデータに変換されて、メモリ１０９に画像データは保持される。
【００４９】
次に、ＰＤＬ展開動作は、ホストコンピュータ１０１から送られたＰＤＬ言語のデータをコントローラのＣＰＵ１１０で解釈してフルカラー画像に展開し、画像メモリ１０９上に書込む動作を行う。このフルカラー画像は、画像形成装置１０３のもつ出力特性にあわせ、イエロー（Ｙ）、マゼンタ（Ｍ）、シアン（Ｃ）、ブラック（Ｂｋ）の４色に色分解された画像データとして展開される。
【００５０】
プリントアウト動作においては、前記画像メモリ１０９上に展開されたフルカラー画像および、文字／線画の識別であるＴＥＸＴ信号を、４つのドラム２１７，２２１，２２５，２２９に同期するように読出し、不図示のＰＷＭ回路を通じてレーザードライバーに送られ、プリント出力がなされる。
【００５１】
図５にコントローラを含めたシステム動作例のタイミングチャートを示す。
【００５２】
図５において、５０１で示される区間でＰＤＬ展開動作が行われ、５０２で示される区間で判定信号ＴＥＸＴを生成し、同時に画像メモリ５０９への書込動作が行われる。メモリ１０９上に書き込まれた画像データは、５０３，５０４，５０５および５０６に示されるタイミングで読み出される。５０３，５０４，５０５および５０６に示されるタイミングの関係は、図示の通りに、時間ｄ／ｖ間隔をあけて、読み出される。ここで、すでに説明したが、ｄは等間隔に配置された４つのドラム間隔であり、ｖは搬送ベルトにより搬送される用紙の速度である。
【００５３】
ここで、特徴的なことは、ＰＤＬ展開動作とＴＥＸＴ信号の生成を同時に行うことであり、これらの動作が順次行われる場合に対し、処理の高速化が行われる。また、これら動作の同時処理の制御は、ＣＰＵ１１０によって行われる。
【００５４】
［特色の自動登録］
図６、図７を用いて特色の自動登録を説明する。図６はプリンタドライバの印刷詳細オプションのウインドウである。６１は特色自動登録、６２はその設定のメニューで６３のプルダウンメニューのプリンタの初期設定、オン、オフから選択することができる。６４はカラーモード設定、６５は両面印刷設定、６６はソータモード設定である。
【００５５】
６７は印刷設定を確定するＯＫボタン、６８は設定をキャンセルするキャンセルボタンである。
【００５６】
ユーザはＤＴＰアプリケーション上で特色を定義して、その特色を使った文書を作成する。ここで、複数の特色を文書の中に入れることが可能である。そして、アプリケーション上で作成した特色を使用した文書をプリンタドライバから特色自動登録することでコントローラに特色を登録することができる。ユーザは図６のプリンタドライバの特色自動登録６１から６２のなかのオンを選択し、６７のＯＫを押下する。次に、不図示のプリンタドライバの画面で印刷ボタンを押下して特色の自動登録処理を実行する。
【００５７】
図７では特色自動登録処理のフローチャートを示す。ホストコンピュータ１０１から文書がケーブル２４３を介してコントローラ１０２に送信されるとＳ７０１で特色自動登録処理が開始される。Ｓ７０２では送信された文書が特色自動登録の設定がされているのかを調べる。特色自動登録の設定がされていない場合にはＳ７０３に進み、通常の印刷処理に戻る。設定されている場合にはＳ７０４で特色の検索を行う。特色は、特色の名称とＲＧＢ、ＣＭＹＫの値がセットになって文書のＰＤＬデータに埋め込まれている。この特色データの検索を行う。
【００５８】
Ｓ７０５ではＳ７０４の検索の結果で特色データが文書に埋め込まれているかどうかを調べる。特色データが埋め込まれていない場合はＳ７０６に進み、処理を終了する。埋め込まれている場合にはＳ７０７に進み、特色名称の検索を行う。Ｓ７０８ではＳ７０７の検索結果に基づいて、文書から検索された特色がコントローラにあらかじめ登録されている特色と一致していないかを調べる。検索された特色がコントローラにあらかじめインストールされた特色である場合にはＳ７０４に戻り、ふたたび特色の検索を行う。そうでない場合には、Ｓ７０９に進み、コントローラに特色を登録する。登録された特色は別の文書でも利用可能であり、特色を扱う別のアプリケーションからでも利用可能である。
【００５９】
なお、特色自動登録で送信する文書は特色を登録すると同時に印刷するようにコントローラ側で設定することが可能である。
【実施例２】
【００６０】
第１の実施例では、特色の自動登録をプリンタドライバから設定したが、これをコントローラの印刷ジョブ管理ツールから設定するようにしても良い。その場合の印刷ジョブ管理ツールの詳細設定を図８、図９に示す。
【００６１】
図８で、８０１はジョブの状況を表示するＪｏｂ  Ｓｔａｔｕｓタブ、８０２はコントローラに接続されているカラー複写機の状況を表示するＤｅｖｉｃｅ  Ｓｔａｔｕｓタブ、８０３はジョブの設定と印刷を行うＪｏｂ  Ｓｕｂｍｉｔタブ、８０４はスキャンを行うＳｃａｎｎｉｎｇタブ、８０５はコントローラの設定を行うＣｏｎｆｉｇｕｒａｔｉｏｎタブ、８０６はＨｅｌｐタブである。８０７にはコントローラに接続されているデバイスが表示される。８０８はこれから印刷されるジョブの状況を表示する。８０９は印刷ずみジョブの状況を表示する。
【００６２】
図９で、９０１はデバイス名表示、９０２はジョブの一般設定を表示するためのボタン、９０３はジョブの印刷後処理関係の設定を表示するためのボタン、９０４はジョブの画質の設定を表示するためのボタン、９０５は選択したジョブの印刷を開始するボタン、９０６はジョブ名表示、９０７は特色自動登録設定、９０８はジョブの印刷設定のリセットをするためのボタン、９０９はテスト印刷を行うためのボタン、９１０は印刷設定を表示、設定するためのボタンである。
【００６３】
コントローラはＷｅｂサーバとなっており、ホストコンピュータ１０１からブラウザを用いて印刷ジョブの管理が可能になっている。８０８のＪｏｂ  ＳｔａｔｕｓでＨｏｌｄとなっているジョブと８０９のＦｉｎｉｓｈｅｄ  ｊｏｂにあるジョブは印刷文書に特色が含まれている場合、特色の自動登録が可能である。ユーザは特色の自動登録を行いたいジョブを選択して８０３のＪｏｂ  Ｓｕｂｍｉｔタブを選択する。
【００６４】
Ｊｏｂ  Ｓｕｂｍｉｔタブが選択されると、図９の画面になる。９０６には選択されたジョブ面が表示されている。ユーザは９０２のＧｅｎｅｒａｌを押下して選択したジョブの一般設定を表示させる。一般設定９１０の中で９０７の自動特色登録（Ｓｐｏｔ  Ｃｏｌｏｒ  Ｒｅｇ）をＹｅｓに設定を変えて、９０５のＰｒｉｎｔを押下し印刷を実行する。印刷が開始されると、第一の実施例と同じように処理が行われ、印刷文書に含まれる特色がコントローラに登録される。
【図面の簡単な説明】
【００６５】
【図１】画像信号の流れを示す図
【図２】画像形成装置概観図
【図３】装置システム概観図
【図４】複写機単体としての動作を示すタイミングチャート
【図５】ホストコンピュータを含むシステムとしての動作を示すタイミングチャート
【図６】プリンタドライバの設定を示す図
【図７】特色自動登録のフローチャートを示す図
【図８】印刷ジョブ管理ツールのＪｏｂ  Ｓｔａｔｕｓを示す図
【図９】印刷ジョブ管理ツールのジョブの印刷設定を示す図
【符号の説明】
【００６６】
１０１  ホストコンピュータ
１０２  コントローラ
１０３  画像形成装置
１０５  ＲＧＢ画像から文字／線画を抽出する文字／線画抽出手段
１０８  複写機内蔵の画像メモリ
１０９  コントローラ内蔵の画像メモリ
１１０  ＣＰＵ
１１１  ハードディスク
２１７，２２１，２２５，２２９  感光ドラム
３０１  フィニッシャ
【図１】
2006155499.tif 000006
【図２】
2006155499.tif 000007
【図３】
2006155499.tif 000008
【図４】
2006155499.tif 000009
【図５】
2006155499.tif 000010
【図７】
2006155499.tif 000011
【図８】
2006155499.tif 000012
【図９】
2006155499.tif 000013
【図６】
2006155499.tif 000014